(57)【要約】【課題】  リニアガイドベアリングは、内部に塵埃が混入すると摺動の精度が落ちたり、内装されている多数のボールベアリングが破損する要因ともなり、両端面に塵埃の混入を防ぐダストシールを必要としているが、メンテナンスの際に、作業に束縛が発生したり、作業数が増えたりして手間暇かかるものであった。【解決手段】  直線状のレール１を跨いで摺動するために下方開口部を設けると共に多数のボールベアリングを内装するリニアガイドベアリング本体２と、薄板状のダストシール３とであって、ニアガイドベアリング本体２の両端面２ａに固定したダストシール３の下方開口部３ｂは下端辺が狭巾で上方辺が拡巾に形成され、ダストシール３に下方開口部３ｂの両側端の間が拡張する伸縮域３ｃを設け巾方向に拡げることによりレール１の拡巾に形成された摺動角縁部１ｃを通して着脱を可能とする。【選択図】図１
2014035076.tif 000002
【特許請求の範囲】
【請求項１】
固定床面に立設されたレール基部と、該レール基部の上方に拡巾して形成された平坦頂面と、該平坦頂面の長手方向に沿った両側縁部と前記レール基部の両側面との間に形成された略直角状の夫々の摺動角縁部とを備えた直線状のレールと、該レールの平坦頂面と夫々の摺動角縁部を跨いで摺動するために下方に凹溝状の下方開口部を設けると共に多数のボールベアリングを内装するリニアガイドベアリング本体と、該リニアガイドベアリング本体の摺動方向と直交する両端面に夫々設けたダストシールを固定するための複数の固定用ビス孔と、該複数の固定用ビス孔と合致する位置にシール側固定用ビス孔を設けてビスにより着脱可能に固定する前記両端面と略同形状の薄板状の夫々のダストシールと、であって、前記レールを跨いで摺動する前記リニアガイドベアリング本体の両端面に固定した夫々のダストシールとの夫々の下方開口部は下端辺が狭巾で上方辺が拡巾に形成され、前記ダストシールは巾方向の中央部辺に下方開口部の両側端の間が拡張する伸縮域を設け巾方向に拡げることにより前記レールの拡巾に形成された前記摺動角縁部を通して着脱を可能とすることを特徴とするリニアガイドベアリング用ダストシール。
【請求項２】
前記ダストシールはゴムで形成したことを特徴とする請求項１に記載のリニアガイドベアリング用ダストシール。
【請求項３】
前記ダストシールはゴムと合成樹脂を積層させて形成したことを特徴とする請求項１に記載のリニアガイドベアリング用ダストシール。
【発明の詳細な説明】
【技術分野】
【０００１】  本発明は、リニアガイドベアリング用ダストシールに関するものであり、更に詳細には、工作機械等における直線状に摺動させる部位に用いるリニアガイドベアリングにおいて、内部に塵埃の進入を防ぐためのダストシールに関するものである。
【背景技術】
【０００２】  従来、先に開示されている、例えば、シール装置１００は、直線運動用ベアリング１０の運動体２０の運動方向端部に取付けられ、軌道台の１２上面又は側面に対して弾性的に付勢され、付勢される面の輪郭と相補い合う端面形状を有するとともに、運動方向に対する動きを拘束されたシール部材１１０，１２０，１３０を有することを特徴としている。
シール部材１１０，１２０，１３０は金属製軸受材料からなり、一対の端面プレートの間に挟まれているもの（特許文献１参照）や、ベアリング１２の側方には、エンドキャップ１３に外周部が押し付けられるようにしてベアリング１２に固定される防塵用のサイドシール１５を設けるとともに、サイドシール１５の外側には、サイドシール１５に外周部が押し付けられるようにしてベアリング１２に固定され、レール１１の転動体転動溝やその他の露出面に堆積したゴミや塵を掻き出すための金属製のプロテクタ１６が設けるもの（特許文献２参照）や、サイドシール１４とともにレール１２の全周に接触する補助シールをサイドシール１４に設け、サイドシール１４を補助シールとともにレール１２にはめ込み、サイドシール１４をエンドキャップ１３に固定した後、補助シールをサイドシール１４から除去するもの（特許文献３参照）等が開示されている。
【特許文献１】特開平５−１７２１３９号公報
【特許文献２】特開２００８−３２１８０号公報
【特許文献３】特開２００８−６９８７１号公報
【発明の開示】
【発明が解決しようとする課題】
【０００３】  然し乍ら、これ等のリニアガイドベアリングは、内部に塵埃が混入すると摺動の精度が落ちたり、内装されている多数のボールベアリングが破損する要因ともなり、摺動方向に直交する両端面に塵埃の混入を防ぐダストシールを必要としており、特許文献１の直線運動用ベアリング１０をシールするものは、３つのシール部材１１０，１２０，１３０をアウタープレート１８０とインナープレート１９０の間に組み込んで、リニアガイドベアリングの端面に固定するもので、多数のパーツを必要としているものあり、更に、特許文献２では、ベアリング１２の側方にサイドシール１５と金属製のプロテクタ１６を重ねて固定しているものであり、更には、特許文献３ではベアリング１１にサイドシール１４と補強板２１を重ねて固定しているものであるが、何れも直線状にスライドするレールの上方は下方より巾が広く形成され、リニアガイドベアリングはレールの上方を跨いで装着されており、その為、リニアガイドベアリングと、リニアガイドベアリングの両端面に固定されたダストシールの夫々の下方開口は、下方の巾が狭く、上方の巾が広い、凹溝状となっており、メンテナンスのために分解する場合には、レールの端部まで摺動させて、レールの無い所でダストシール部材を取り外しメンテナンスをしていたが、作業に束縛が発生したり、作業数が増えたりして手間暇かかるものであった。
【課題を解決するための手段】
【０００４】  本発明は前記課題に鑑み、鋭意研鑽の結果、これらの課題を解決するもので、固定床面に立設されたレール基部と、レール基部の上方に拡巾して形成された平坦頂面と、平坦頂面の長手方向に沿った両側縁部とレール基部の両側面との間に形成された略直角状の摺動角縁部とを備えた直線状のレールと、レールの平坦頂面と摺動角縁部を跨いで摺動するために下方に凹溝状の下方開口部を設けると共に多数のボールベアリングを内装するリニアガイドベアリング本体と、リニアガイドベアリング本体の摺動方向と直交する両端面に設けたダストシールを固定するための複数の固定用ビス孔と、複数の固定用ビス孔と合致する位置にシール側固定用ビス孔を設けてビスにより着脱可能に固定する両端面と略同形状の薄板状のダストシールと、であって、レールを跨いで摺動するリニアガイドベアリング本体の両端面に固定したダストシールとの下方開口部は下端辺が狭巾で上方辺が拡巾に形成され、ダストシールは巾方向の中央部辺に下方開口部の両側端の間が拡張する伸縮域を設け巾方向に拡げることによりレールの拡巾に形成された摺動角縁部を通して着脱を可能とするものであり、更に、ダストシールはゴムで形成したものであり、更には、ダストシールはゴムと合成樹脂を積層させて形成したものである。
【発明の効果】
【０００５】  本発明のリニアガイドベアリング用ダストシールは、レール基部の上方に拡巾して形成された平坦頂面を跨いで摺動するリニアガイドベアリング本体の両端面に着脱可能に固定したダストシールの下方開口部は下方辺が狭巾で上方辺が拡巾に形成されているものであるが、ダストシールの巾方向の中央部辺に下方開口部の両側端の間が拡張する伸縮域を形け巾方向に拡げることにより、レールのどの位置においても脱着ができるもので、メンテナンスにおける作業効率がスピードアップするもので、画期的で実用性の高い有効な発明である。
【発明を実施するための最良の形態】
【０００６】  以下、本発明のリニアガイドベアリング用ダストシールの実施の形態を図面によって具体的に説明すると、図１は本発明のリニアガイドベアリング用ダストシールの実施例の斜視説明図であり、図２は本発明のリニアガイドベアリング用ダストシールのダストシールの実施例の正面図である。【０００７】  本発明は、リニアガイドベアリング用ダストシールに関するものであり、更に詳細には、工作機械等における直線状に摺動させる部位に用いるリニアガイドベアリングにおいて、内部に塵埃の進入を防ぐためのダストシールに関するものであり、請求項１に記載のリニアガイドベアリング用ダストシールは、固定床面に立設されたレール基部１ａと、該レール基部１ａの上方に拡巾して形成された平坦頂面１ｂと、該平坦頂面１ｂの長手方向に沿った両側縁部と前記レール基部１ａの両側面との間に形成された略直角状の夫々の摺動角縁部１ｃとを備えた直線状のレール１と、該レール１の平坦頂面１ｂと夫々の摺動角縁部１ｃを跨いで摺動するために下方に凹溝状の下方開口部を設けると共に多数のボールベアリング（図示しない）を内装するリニアガイドベアリング本体２と、該リニアガイドベアリング本体２の摺動方向と直交する両端面２ａに夫々設けたダストシール３を固定するための複数の固定用ビス孔２ｂと、該複数の固定用ビス孔２ｂと合致する位置にシール側固定用ビス孔３ａを設けてビスにより着脱可能に固定する前記両端面２ａと略同形状の薄板状の夫々のダストシール３と、であって、前記レール１を跨いで摺動する前記リニアガイドベアリング本体２の両端面２ａに固定した夫々のダストシール３との夫々の下方開口部３ｂは下端辺が狭巾で上方辺が拡巾に形成され、前記ダストシール３は巾方向の中央部辺に下方開口部３ｂの両側端の間が拡張する伸縮域３ｃを設け巾方向に拡げることにより前記レール１の拡巾に形成された前記摺動角縁部１ｃを通して着脱を可能とすることを特徴とするものである。【０００８】  更に、請求項２に記載のリニアガイドベアリング用ダストシールは、請求項１に記載のリニアガイドベアリング用ダストシールにおいて、前記ダストシール３はゴムで形成したことを特徴とするものである。【０００９】  更には、請求項３に記載のリニアガイドベアリング用ダストシールは、請求項１に記載のリニアガイドベアリング用ダストシールにおいて、前記ダストシール３はゴムと合成樹脂を積層させて形成したことを特徴とするものである。
【実施例】
【００１０】  即ち、本発明のリニアガイドベアリング用ダストシールは、図１に図示するように、レール１とリニアガイドベアリング本体２とダストシール３とから成るものである。【００１１】  そして、直線状のレール１のレール基部１ａは、工作機械等の固定床面から立設されているもので、平坦頂面１ｂはレール基部１ａの上方に延設されるもので、平坦頂面１ｂの巾はレール基部１ａの巾より拡巾されて形成しており、摺動角縁部１ｃは平坦頂面１ｂの長手方向に沿った両側縁部と、レール基部１ａの両側面との間に形成された略直角状のものである。【００１２】  次に、リニアガイドベアリング本体２は、レール１の平坦頂面１ｂと夫々の摺動角縁部１ｃを跨いで摺動するものであり、下方に凹溝状の下方開口部３ｂを設けており、下方開口部３ｂの頂面の両側と、下方開口部３ｂの両側の側面とにはレール１の平坦頂面１ｂの両端縁辺と接触して摺動するために、摺動方向に多数のボールベアリングを４列に並設しているものである。【００１３】  次には、複数の固定用ビス孔２ｂは、リニアガイドベアリング本体２の摺動方向と直交する両端面２ａに夫々設けているもので、後述するダストシール３を固定するものである。【００１４】  更に、ダストシール３は、リニアガイドベアリング本体２の摺動方向と直交する両端面２ａに固定するものであり、リニアガイドベアリング本体２の両端面２ａに穿設した複数の固定用ビス孔２ｂと合致する位置のダストシール３にシール側固定用ビス孔３ａを設けるもので、リニアガイドベアリング本体２の両端面２ａに夫々ビスにより着脱可能に固定するものであり、リニアガイドベアリング本体２の両端面２ａの形状とダストシール３の形状は略同形状の薄板状のものである。【００１５】  更には、ダストシール３は、リニアガイドベアリング本体２の両端面２ａに夫々固定されるもので、リニアガイドベアリング本体２と夫々のダストシール３の下方開口部３ｂは、レール１を跨いで摺動するために上方辺が拡巾に形成され下端辺が狭巾に形成されているものである。【００１６】  そして、伸縮域３ｃは、ダストシール３の巾方向の中央部辺に下方開口部３ｂの両側端の間を拡張可能とするために設けるもので、ダストシール３を巾方向に拡げることによりレール１の拡巾に形成された摺動角縁部１ｃを通して着脱を可能とするものである。【００１７】  更には、ダストシール３をゴムで形成しているものであり、また、ダストシール３をゴムと合成樹脂を積層させて形成したものである。
【産業上の利用可能性】
【００１８】  本発明は、レール基部の上方に拡巾して形成された平坦頂面を跨いで摺動するリニアガイドベアリング本体の両端面に着脱可能に固定したダストシールの下方開口部は下方辺が狭巾で上方辺が拡巾に形成されているものであるが、ダストシールの巾方向の中央部辺に下方開口部の両側端の間が拡張する伸縮域を形け巾方向に拡げることにより、レールのどの位置においても脱着ができるもので、メンテナンスにおける作業効率がスピードアップするリニアガイドベアリング用ダストシールを提供するものである。
【図面の簡単な説明】
【００１９】
【図１】  図１は本発明のリニアガイドベアリング用ダストシールの実施例の斜視説明図である。
【図２】  図２は本発明のリニアガイドベアリング用ダストシールのダストシールの実施例の正面図である。
【符号の説明】
【００２０】１      レール
１ａ    レール基部
１ｂ    平坦頂面
１ｃ    摺動角縁部
２      リニアガイドベアリング本体
２ａ    両端面
２ｂ    固定用ビス孔
３      ダストシール
３ａ    シール側固定用ビス孔
３ｂ    下方開口部
【図１】
2014035076.tif 000003
【図２】
2014035076.tif 000004